(57)【要約】【課題】ユーザによる簡単な操作により、プロバイダの送信元を受信可能に追加設定することができる送信元指定受信システム及び送信元指定受信方法を提供すること。【解決手段】ドメイン指定システム３１において、ユーザからの着信により取得したドメイン指定用電話番号に基づいて、予め登録されたドメイン指定用電話番号及びドメインから対応ドメインを読み出し、着信により取得した携帯電話番号に対して受信可能ドメインとして対応ドメインを追加し、携帯電話番号及び対応ドメインをメール受信システム３２に送り、メール受信システム３２において、対応ドメインを携帯電話番号及び携帯電話番号に対応する携帯メールアドレスと関連づけて設定し、プロバイダからの送信先である携帯メールアドレスの対応ドメインが受信可能ドメインであるかどうかを判定する。【選択図】図１
2007134776.tif 000002
【特許請求の範囲】
【請求項１】
送信元指定用電話番号及び送信元を登録する送信元登録手段と、前記送信元指定用電話番号及び送信元を格納する第１格納手段と、ユーザからの着信により取得した送信元指定用電話番号に基づいて、前記格納手段に格納された対応送信元を読み出す送信元読出手段と、前記着信により取得した電話番号に対して受信可能送信元として前記対応送信元を追加する送信元追加手段と、を有する送信元指定装置と、
前記送信元指定装置において追加された対応送信元を前記電話番号及び前記電話番号に対応するメールアドレスと関連づけて設定する送信元設定手段と、プロバイダからの送信先である前記メールアドレスの前記対応送信元が前記受信可能送信元であるかどうかを判定する送信元判定手段と、を有するメール受信装置と、
を具備することを特徴とする送信元指定受信システム。
【請求項２】
メール送信用電話番号及びメールアドレスを登録するメールアドレス登録手段と、前記メール送信用電話番号及びメールアドレスを格納する第２格納手段と、ユーザからの着信により取得したメール送信用電話番号に基づいて、前記格納手段に格納された対応メールアドレスを読み出すメールアドレス読出手段と、を有するメール送信依頼装置と、
前記メール送信依頼装置において読み出された対応メールアドレスを前記ユーザの電話番号及び前記電話番号に対応するメールアドレスと関連づけて設定するメールアドレス設定手段と、前記メールアドレスから前記対応メールアドレスにメール送信を行う送信手段と、を有するメール送信装置と、
をさらに具備することを特徴とする請求項１記載の送信元指定受信システム。
【請求項３】
前記送信元指定用電話番号を識別して前記送信元指定装置に回線を接続する番号識別装置をさらに具備することを特徴とする請求項１又は請求項２記載の送信元指定受信システム。
【請求項４】
前記番号識別装置は、前記メール送信用電話番号を識別して前記メール送信依頼装置に回線を接続することを特徴とする請求項３記載の送信元指定受信システム。
【請求項５】
前記送信元指定装置は、前記送信元読出手段により読み出された対応送信元を音声案内情報にする音声案内手段を有することを特徴とする請求項１から請求項４のいずれかに記載の送信元指定受信システム。
【請求項６】
送信元指定装置において、ユーザからの着信により取得した送信元指定用電話番号に基づいて、予め登録された送信元指定用電話番号及び送信元から対応送信元を読み出す工程と、前記着信により取得した電話番号に対して受信可能送信元として前記対応送信元を追加する工程と、前記電話番号及び前記対応送信元をメール受信装置に送る工程と、
前記メール受信装置において、前記対応送信元を前記電話番号及び前記電話番号に対応するメールアドレスと関連づけて設定する工程と、プロバイダからの送信先である前記メールアドレスの前記対応送信元が前記受信可能送信元であるかどうかを判定する工程と、
を具備することを特徴とする送信元指定受信方法。
【請求項７】
メール送信依頼装置において、ユーザからの着信により取得したメール送信用電話番号に基づいて、予め登録されたメール送信用電話番号及びメールアドレスから対応メールアドレスを読み出す工程と、前記ユーザの電話番号及び前記対応メールアドレスをメール送信装置に送る工程と、
前記メール送信装置において、前記対応メールアドレスを前記電話番号及び前記電話番号に対応するメールアドレスと関連づけて設定する工程と、前記メールアドレスから前記対応メールアドレスにメール送信を行う工程と、
をさらに具備することを特徴とする請求項６記載の送信元指定受信方法。
【請求項８】
前記送信元指定用電話番号を識別して前記送信元指定装置に回線を接続する工程をさらに具備することを特徴とする請求項６又は請求項７記載の送信元指定受信方法。
【請求項９】
前記メール送信用電話番号を識別して前記メール送信依頼装置に回線を接続する工程をさらに具備することを特徴とする請求項７記載の送信元指定受信方法。
【請求項１０】
前記送信元指定装置において、前記対応送信元を音声案内情報にし、前記音声案内情報を前記ユーザに送る工程を具備することを特徴とする請求項６から請求項９のいずれかに記載の送信元指定受信方法。
【発明の詳細な説明】
【技術分野】
【０００１】
本発明は、送信元指定受信システム及び送信元指定受信方法に関する。
【背景技術】
【０００２】
近年、迷惑メールの受信を回避するため、ユーザが受信を許容したドメイン名から届くメールのみを受信するようにする、いわゆるドメイン指定受信機能が運用されている（特許文献１）。一方、様々なサービス提供者（プロバイダ）においては、ユーザにサービスの会員登録をさせる際には、通常、まずユーザに空メールを送信させることによりユーザのメールアドレスを取得し、そのメールアドレス宛にメールを送ることにより会員登録手順などをユーザに案内している。
【特許文献１】特開２００４−８８６４８号公報
【発明の開示】
【発明が解決しようとする課題】
【０００３】
しかしながら、上記ドメイン指定受信機能を利用しているユーザは、サービス提供者からのメールを受信するためには、事前にドメイン指定受信機能において許容するドメイン名に当該サービス提供者のドメイン名を追加しておく作業が必要となる。この作業は、アルファベットや数字の組み合わせである複数のキャラクタで構成されるドメイン名を手入力するので、ユーザにとっては非常に煩雑であり、面倒である。このため、ユーザがこの面倒な作業を避けることにより、サービス提供者がメールによる会員獲得を行うことができず、会員獲得機会を逃してしまうことがある。
【０００４】
本発明はかかる点に鑑みてなされたものであり、ユーザによる簡単な操作により、特定のプロバイダの送信元を受信可能に追加設定することができる送信元指定受信システム及び送信元指定受信方法を提供することを目的とする。
【課題を解決するための手段】
【０００５】
本発明の送信元指定受信システムは、送信元指定用電話番号及び送信元を登録する送信元登録手段と、前記送信元指定用電話番号及び送信元を格納する第１格納手段と、ユーザからの着信により取得した送信元指定用電話番号に基づいて、前記格納手段に格納された対応送信元を読み出す送信元読出手段と、前記着信により取得した電話番号に対して受信可能送信元として前記対応送信元を追加する送信元追加手段と、を有する送信元指定装置と、前記送信元指定装置において追加された対応送信元を前記電話番号及び前記電話番号に対応するメールアドレスと関連づけて設定する送信元設定手段と、プロバイダからの送信先である前記メールアドレスの前記対応送信元が前記受信可能送信元であるかどうかを判定する送信元判定手段と、を有するメール受信装置と、を具備することを特徴とする。
【０００６】
この構成によれば、移動体端末の画面上に表示された送信元指定用電話番号をクリックするだけで、ＣＰの送信元を受信可能に追加設定することができる。送信元指定用電話番号は、移動体端末の画面上に自動的に表示されるものであり、電話番号部分をアクティブにしてクリックするだけで、発呼することができる。この作業は、アルファベットや数字の組み合わせである複数のキャラクタで構成される送信元名を手入力する方法に比べて、非常に簡単である。このため、ユーザはメールによる会員登録などを簡易に行うことが可能となる。
【０００７】
本発明の送信元指定受信システムにおいては、メール送信用電話番号及びメールアドレスを登録するメールアドレス登録手段と、前記メール送信用電話番号及びメールアドレスを格納する第２格納手段と、ユーザからの着信により取得したメール送信用電話番号に基づいて、前記格納手段に格納された対応メールアドレスを読み出すメールアドレス読出手段と、を有するメール送信依頼装置と、前記メール送信依頼装置において読み出された対応メールアドレスを前記ユーザの電話番号及び前記電話番号に対応するメールアドレスと関連づけて設定するメールアドレス設定手段と、前記メールアドレスから前記対応メールアドレスにメール送信を行う送信手段と、を有するメール送信装置と、をさらに具備することが好ましい。
【０００８】
この構成によれば、移動体端末の画面上に表示された送信元指定用電話番号をクリックするだけで、ＣＰの送信元を受信可能に追加設定することができると共に、ＣＰにメールを送信することができる。メール送信用電話番号は、移動体端末の画面上に自動的に表示されるものであり、電話番号部分をアクティブにしてクリックするだけで、発呼することができる。この作業は、アルファベットや数字の組み合わせである複数のキャラクタで構成されるメールアドレスを手入力する方法に比べて、非常に簡単である。
【０００９】
本発明の送信元指定受信システムにおいては、前記送信元指定用電話番号を識別して前記送信元指定装置に回線を接続する番号識別装置をさらに具備することが好ましい。また、本発明の送信元指定受信システムにおいては、前記番号識別装置が、前記メール送信用電話番号を識別して前記メール送信依頼装置に回線を接続することが好ましい。
【００１０】
本発明の送信元指定受信システムにおいては、前記送信元指定装置は、前記送信元読出手段により読み出された対応送信元を音声案内情報にする音声案内手段を有することが好ましい。この構成によれば、ユーザは送信元の追加がなされたことを音や音声で認識することができる。
【００１１】
本発明の送信元指定受信方法は、送信元指定装置において、ユーザからの着信により取得した送信元指定用電話番号に基づいて、予め登録された送信元指定用電話番号及び送信元から対応送信元を読み出す工程と、前記着信により取得した電話番号に対して受信可能送信元として前記対応送信元を追加する工程と、前記電話番号及び前記対応送信元をメール受信装置に送る工程と、前記メール受信装置において、前記対応送信元を前記電話番号及び前記電話番号に対応するメールアドレスと関連づけて設定する工程と、プロバイダからの送信先である前記メールアドレスの前記対応送信元が前記受信可能送信元であるかどうかを判定する工程と、を具備することを特徴とする。
【００１２】
この方法によれば、移動体端末の画面上に表示された送信元指定用電話番号をクリックするだけで、ＣＰの送信元を受信可能に追加設定することができる。送信元指定用電話番号は、移動体端末の画面上に自動的に表示されるものであり、電話番号部分をアクティブにしてクリックするだけで、発呼することができる。この作業は、アルファベットや数字の組み合わせである複数のキャラクタで構成される送信元名を手入力する方法に比べて、非常に簡単である。このため、ユーザはメールによる会員登録などを簡易に行うことが可能となる。
【００１３】
本発明の送信元指定受信方法においては、メール送信依頼装置において、ユーザからの着信により取得したメール送信用電話番号に基づいて、予め登録されたメール送信用電話番号及びメールアドレスから対応メールアドレスを読み出す工程と、前記ユーザの電話番号及び前記対応メールアドレスをメール送信装置に送る工程と、前記メール送信装置において、前記対応メールアドレスを前記電話番号及び前記電話番号に対応するメールアドレスと関連づけて設定する工程と、前記メールアドレスから前記対応メールアドレスにメール送信を行う工程と、をさらに具備することが好ましい。
【００１４】
この方法によれば、移動体端末の画面上に表示された送信元指定用電話番号をクリックするだけで、ＣＰの送信元を受信可能に追加設定することができると共に、ＣＰにメールを送信することができる。メール送信用電話番号は、移動体端末の画面上に自動的に表示されるものであり、電話番号部分をアクティブにしてクリックするだけで、発呼することができる。この作業は、アルファベットや数字の組み合わせである複数のキャラクタで構成されるメールアドレスを手入力する方法に比べて、非常に簡単である。
【００１５】
本発明の送信元指定受信方法においては、前記送信元指定用電話番号を識別して前記送信元指定装置に回線を接続する工程をさらに具備することが好ましい。また、本発明の送信元指定受信方法においては、前記メール送信用電話番号を識別して前記メール送信依頼装置に回線を接続する工程をさらに具備することが好ましい。
【００１６】
本発明の送信元指定受信方法においては、前記送信元指定装置において、前記対応送信元を音声案内情報にし、前記音声案内情報を前記ユーザに送る工程を具備することが好ましい。この方法によれば、ユーザは送信元の追加がなされたことを音や音声で認識することができる。
【発明の効果】
【００１７】
本発明の送信元指定受信システムは、送信元指定装置において、ユーザからの着信により取得した送信元指定用電話番号に基づいて、予め登録された送信元指定用電話番号及び送信元から対応送信元を読み出し、前記着信により取得した電話番号に対して受信可能送信元として前記対応送信元を追加し、前記電話番号及び前記対応送信元をメール受信装置に送り、前記メール受信装置において、前記対応送信元を前記電話番号及び前記電話番号に対応する携帯メールアドレスと関連づけて設定し、プロバイダからの送信先である前記メールアドレスの前記対応送信元が前記受信可能送信元であるかどうかを判定するので、ユーザは、送信元指定用電話番号に電話をかけるだけでプロバイダの送信元を受信可能に追加設定することができる。このため、ユーザは、送信元指定受信の設定を維持しつつ、煩雑な操作を行うことなく、所望のプロバイダからの情報を閲覧することができる。
【発明を実施するための最良の形態】
【００１８】
以下、本発明の実施の形態について、添付図面を参照して詳細に説明する。
（実施の形態１）
本実施の形態においては、ユーザが移動体端末から送信元指定受信用の電話番号に電話をかけることにより、該送信元指定受信用の電話番号に対応するプロバイダの送信元を自動的に追加する場合について説明する。ここで、送信元とは、送信元を特定できる識別情報を意味し、所定の文字列で構成されるドメイン、メールアドレスなどが挙げられる。送信元の特定は、送信元を構成する所定の文字列の全て又は一部が一致することにより行われる。以下の実施の形態においては、送信元がドメインである場合について説明する。また、プロバイダとは、コンテンツを提供する事業者であるコンテンツプロバイダ（ＣＰ）、サービスを提供する事業者であるサービスプロバイダを含む意味である。以下の実施の形態においては、プロバイダがコンテンツプロバイダ（ＣＰ）である場合について説明する。
【００１９】
図１は、本発明の実施の形態１に係るドメイン指定受信システムの概略構成を示す図である。図１に示すシステムは、ユーザ端末である移動体端末１と、この移動体端末１と移動通信網２を介して接続された移動通信網センター３と、移動通信網センター３にインターネット４のようなネットワークを介して接続されたコンテンツプロバイダ（ＣＰ）サーバ５とから主に構成されている。移動通信網センター３は、事前登録したＣＰのドメインを指定するドメイン指定システム３１と、ドメイン指定システムで指定されたドメインを用いてメール受信を行うメール受信システム３２とを有する。移動通信網２における交換局には、移動体端末１から発呼された電話番号を識別する番号識別システム２１が配設されている。
【００２０】
移動通信網センター３は、インターネットのようなネットワークを介して他の端末装置、例えばパーソナルコンピュータ（ＰＣ）やサーバなどと接続されており、移動通信網２とインターネット４などのネットワークとを結ぶゲートウェイ機能を担っており、具体的には、情報配信機能、メール送受信機能、メール蓄積機能、契約顧客管理機能、情報提供者（Information Provider）管理機能、及び情報料課金機能を有する。
【００２１】
移動通信網センター３の番号識別システム２１は、ユーザがかけた電話番号が本システムの電話番号、すなわちドメイン指定用電話番号であるかどうかを識別し、ユーザがかけた電話番号がドメイン指定用電話番号であれば、回線をドメイン指定システム３１に接続する。番号識別は、例えば、ドメイン指定用電話番号を特定のキャラクタ「＊」などから始まる番号に設定しておくことにより容易に実現することができる。また、後述するドメイン指定システムから、登録済みのドメイン指定用電話番号を取得して管理しておくことにより、電話番号の識別を行うことができる。
【００２２】
このような構成を有するシステムにおいては、ドメイン指定システム３１において、ユーザからの着信により取得したドメイン指定用電話番号に基づいて、予め登録されたドメイン指定用電話番号及びドメインから対応ドメインを読み出し、着信により取得した携帯電話番号に対して受信可能ドメインとして対応ドメインを追加し、携帯電話番号及び対応ドメインをメール受信システム３２に送り、メール受信システム３２において、対応ドメインを携帯電話番号及び携帯電話番号に対応する携帯メールアドレスと関連づけて設定し、プロバイダからの送信先である携帯メールアドレスの対応ドメインが受信可能ドメインであるかどうかを判定する。
【００２３】
図２は、本発明の実施の形態に係るドメイン指定受信システムに使用する移動体端末を示す概略ブロック図である。移動体端末１は、装置全体を制御する制御部１１と、情報やデータの送受信を行う送受信部１２と、種々の情報やデータを表示する表示部１３と、種々の情報やデータを入力する入力部１４と、音や音声を入力するマイク１５と、音や音声を出力するスピーカ１６とから主に構成されている。
【００２４】
制御部１１は、例えば送受信部１２に対して送受信の指示を行ったり、表示部１３に対して表示の指示を行ったり、マイク１５やスピーカ１６に対して音や音声の入出力の指示を行う。また、制御部１１は、入力部１４からの入力に応じて種々の制御を行う。送受信部１２は、アンテナを介して通話やデータ通信などを行う。表示部１３、入力部１４、マイク１５、スピーカ１６は、移動体端末１が通常備えているものと同様である。
【００２５】
図３は、本発明の実施の形態１に係るドメイン指定受信システムにおけるドメイン指定システムを示す概略ブロック図である。ドメイン指定システム３１は、装置全体を制御する制御部３１１と、ドメイン指定用電話番号、ドメイン、携帯電話番号などの情報の送受信を行う送受信部３１２と、移動体端末１からのドメイン指定用電話番号を受け付ける番号受付部３１３と、ＣＰによるドメインの登録を行うドメイン登録部３１４と、登録されたドメインを管理するドメインサーバ３１５と、ドメインサーバ３１５からドメインを読み出すドメイン読出部３１６と、ユーザの携帯電話番号に対応させて受信可能なドメインを追加するドメイン追加部３１７と、追加したドメインを音声案内情報にする音声案内部３１８とから主に構成されている。
【００２６】
制御部３１１は、ＣＰサーバ５からのドメインの事前登録の指示、移動体端末１やメール受信システム３２との間のデータの送受信の指示、ドメイン読出部３１６に対してドメインサーバ３１５からのドメインの読み出しの指示、及びドメイン追加部３１７に対するドメインの追加指示などを行う。
【００２７】
番号受付部３１３は、ユーザがかけたドメイン指定用電話番号及びユーザの携帯電話番号を受け付ける。具体的には、ユーザが移動体端末１からかけたドメイン指定用電話番号は、番号識別システム２１で本システム用の電話番号であると識別され、送受信部３１２を介して番号受付部３１３に送られ、番号受付部３１３においてこのドメイン指定用電話番号及びユーザの携帯電話番号が受け付けられる。このドメイン指定用電話番号及び携帯電話番号は、ドメイン読出部３１６に送られる。
【００２８】
ドメイン登録部３１４は、ＣＰによるドメインの登録を行う。ＣＰは、予めドメイン指定用電話番号及びドメインを所定の方法で登録する。ドメイン登録部３１４においてドメインが登録されると、ＣＰ名称、ドメイン指定用電話番号及びドメインが関連づけられて管理される。ＣＰ名称、ドメイン指定用電話番号及びドメインは、例えば図５に示すような管理テーブルで管理され、この管理テーブルはドメインサーバ３１５に格納される。また、ドメイン登録部３１４は、新たなＣＰがドメインの登録を行うと、ドメインサーバ３１５の管理テーブルを更新する。
【００２９】
ドメイン読出部３１６は、送られたドメイン指定用電話番号に基づいて管理テーブルを参照して、送られたドメイン指定用電話番号に対応するドメイン（対応ドメイン）を読み出す。ドメイン読出部３１６は、読み出した対応ドメインと、ユーザの携帯電話番号とをドメイン追加部３１７に送る。
【００３０】
ドメイン追加部３１７は、ユーザに対して受信可能なドメインとしてドメインを追加する。ドメイン追加部３１７は、ドメイン読出部３１６から送られた対応ドメインと携帯電話番号とを関連づけて管理する。関連づけられた対応ドメインと携帯電話番号とは、送受信部３１２を介してメール受信システム３２に送られる。
【００３１】
音声案内部３１８は、追加されたドメインを含めて音声案内情報を作成し、送受信部３１２を介して移動体端末１に送る。移動体端末１においては、音声案内情報をスピーカ１６から出力する。これにより、ユーザはドメインの追加がなされたことを音や音声で認識することができる。なお、追加されたドメインを含めて音声案内情報を作成する方法としては、通常の音声符号化技術を用いて行われる。また、音声案内部３１８は、常に設ける必要はなく、必要に応じて適宜設ければ良い。
【００３２】
図４は、本発明の実施の形態１に係るドメイン指定受信システムにおけるメール受信システムを示す概略ブロック図である。メール受信システム３２は、装置全体を制御する制御部３２１と、ドメイン、携帯電話番号などの情報の送受信を行う送受信部３２２と、ドメイン指定システム３１からのドメイン、携帯電話番号を携帯メールアドレスと関連づけて設定するドメイン設定部３２３と、ＣＰがユーザに対して送ったメールのドメインが、そのユーザについて受信可能なドメインであるかどうかを判定するドメイン判定部３２４と、ドメイン、携帯電話番号、携帯メールアドレスを管理するドメインサーバ３２５とから主に構成されている。
【００３３】
制御部３２１は、ドメイン指定システム３１やＣＰサーバ５との間のデータの送受信の指示、ドメイン設定部３２３に対してドメインの設定の指示、及びドメイン判定部３２４に対するドメインの判定指示などを行う。
【００３４】
ドメイン設定部３２３は、送受信部３２２を介してドメイン指定システム３１から取得した対応ドメインと携帯電話番号とを、携帯電話番号に対応する携帯メールアドレスと関連づけて管理する。対応ドメイン、携帯電話番号及び携帯メールアドレスは、例えば図６に示すような管理テーブルで管理され、この管理テーブルはドメインサーバ３２５に格納される。ドメイン設定部３２３は、新たに受信可能ドメインが送られると、ドメインサーバ３２５の管理テーブルを更新する。なお、携帯電話番号に対応する携帯メールアドレスは、移動通信網センター３において管理されているので、容易に取得することができる。
【００３５】
ドメイン判定部３２４は、ＣＰサーバ５からユーザに対してメールが送られたときに、ドメインサーバ３２５の管理テーブルを参照して、送信元のＣＰサーバのドメインがそのユーザ（送信先の携帯メールアドレス）に対して受信可能になっているかどうかを判定する。送信元のＣＰサーバのドメインがそのユーザ（送信先の携帯メールアドレス）に対して受信可能になっていれば、送受信部３２２を介して移動体端末１にメールを転送する。
【００３６】
上記構成を有するドメイン指定受信システムにおいては、移動体端末１の画面上に表示されたドメイン指定用電話番号をクリックするだけで、ＣＰのドメインを受信可能に追加設定することができる。ドメイン指定用電話番号は、移動体端末１の画面上に自動的に表示されるものであり、電話番号部分をアクティブにしてクリックするだけで、発呼することができる。この作業は、アルファベットや数字の組み合わせである複数のキャラクタで構成されるドメイン名を手入力する方法に比べて、非常に簡単である。このため、ユーザはメールによる会員登録などを簡易に行うことが可能となり、ＣＰの会員獲得機会も増加する。
【００３７】
次に、上記構成を有するドメイン指定受信方法について図７を用いて説明する。図７は、本発明の実施の形態１に係るドメイン指定受信方法の一例を示すシーケンス図である。
【００３８】
まず、予めＣＰはドメイン指定用電話番号とその電話番号に対応するドメイン（ユーザが受信可能にするためのドメイン）をドメイン指定システム３１に登録（事前登録）する（ＳＴ１１）。この登録は、図８（ａ）〜（ｃ）に示すようなサイトの画面上で行うことができる。ＣＰがドメイン指定システム３１に事前登録する場合、例えば、図８（ａ）に示す画面上でＣＰ情報の登録のボタンをクリックする。これにより、図８（ｂ）に示す画面が表示される。この画面において、ドメイン指定用電話番号欄にドメイン指定用電話番号を入力し、ドメイン投入欄にドメイン（例えば、www.sample.com）を入力する。これにより、図８（ｃ）に示すような登録完了画面が表示される。このように登録されたドメイン指定用電話番号とドメインは、ドメインサーバ３２５の管理テーブルで管理される。なお、このドメイン指定用電話番号は、予め移動通信網２の事業者により割り当てられた電話番号であり、移動体端末１から移動通信網２上の交換局の番号識別システム２１に対して発呼できる番号である。したがって、ＣＰは、移動通信網２の事業者より提供された電話番号を図８（ｂ）に示すドメイン指定用電話番号欄に入力する。
【００３９】
ドメイン指定受信サービスを受けているユーザは、図９に示すような、上記ＣＰの情報を表示した画面において、ドメイン指定用電話番号をアクティブにし、クリックして発呼する（ＳＴ１２）。このように、本ドメイン指定受信方法においては、移動体端末１の画面上においてワンクリックでドメイン指定用電話番号にかけることができるので、ドメインを受信可能に設定するためにドメインを入力して設定する操作に比べて、ユーザ操作が非常に簡単である。
【００４０】
移動体端末１から発呼されたドメイン指定用電話番号は、番号識別システム２１において識別される（ＳＴ１３）。番号識別システム２１において、ドメイン指定用電話番号であると識別されると、回線がドメイン指定システム３１に接続される。そして、ドメイン指定用電話番号がドメイン指定システム３１に送られる。このとき、発呼した移動体端末１の携帯電話番号もドメイン指定システム３１に送られることになる。
【００４１】
ドメイン指定システム３１においては、送受信部３１２がドメイン指定用電話番号を受け取ると、その旨の制御信号が制御部３１１に送られる。制御部３１１は、ドメイン読出部３１６に対してドメインの読み出しを指示する。ドメイン読出部３１６は、ドメインサーバ３１５の管理テーブルを参照して、送られてきたドメイン指定用電話番号に対応するドメインを読み出す（ＳＴ１４）。次いで、ドメイン読出部３１６がドメインを読み出すと、その旨の制御信号が制御部３１１に送られる。制御部３１１は、その制御信号を受けると、ドメイン追加部３１７にドメインを追加する指示を行う。ドメイン追加部３１７は、制御部３１１からの制御信号を受けると、送られてきた携帯電話番号に、読み出されたドメインを受信可能なドメインとして追加する（ＳＴ１５）。すなわち、携帯電話番号と、発呼したドメイン指定用電話番号に対応するドメインとを関連づけてドメインサーバ３１５で管理する。
【００４２】
ドメイン追加部３１７がドメインの追加を行うと、その旨の制御信号が制御部３１１に送られる。制御部３１１は、その制御信号を受けると、送受信部３１２に対して携帯電話番号及び追加したドメインをメール受信システム３２に送る指示を行う。また、制御部３１１は、音声案内部３１８に対してドメインを追加した情報を音声案内情報にする指示を行う。そして、送受信部３１２は、携帯電話番号及び追加したドメインをメール受信システム３２に送り（ＳＴ１６）、音声案内部３１８は、ドメインを追加した情報を音声案内情報にする（ＳＴ１７）。この音声案内情報は、送受信部３１２を介して移動体端末１に送られる。移動体端末１においては、音声案内情報をスピーカ１６から出力して音声案内を行う（ＳＴ１９）。
【００４３】
メール受信システム３２においては、送受信部３２２が携帯電話番号及び追加したドメインを受け取ると、その旨の制御信号が制御部３２１に送られる。制御部３２１は、ドメイン読出部３２３に対してドメインの設定を指示する。ドメイン設定部３２３は、ドメイン、携帯電話番号、及び携帯電話番号に対応する携帯メールアドレスを関連づけて設定する（ＳＴ１８）。これらの情報は、ドメインサーバ３２５において管理テーブルで管理される。これにより、ユーザが情報取得を求めるＣＰのドメインを受信可能に設定することができる。したがって、このＣＰのドメインについては、ドメイン指定受信が設定されていても、ユーザがメール受信することが可能となる。
【００４４】
次いで、ユーザは、図９に示す移動体端末１の画面上のメールアドレスをアクティブにしてクリックすることによりＣＰに空メールを送信する（ＳＴ２０）。ＣＰは、このメールを受け取ると、送信元のメールアドレスに情報（例えば、入会用ＵＲＬを含むメール）を送信する（ＳＴ２１）。この情報は、メール受信システム３２の送受信部３３２で受信される。送受信部３２２が情報を受信すると、その旨の制御信号が制御部３２１に送られる。制御部３２１は、その制御信号を受けると、ドメイン判定部３２４に対してドメインの判定を行う指示を行う。ドメイン判定部３２４は、ドメインサーバ３２５で管理されている管理テーブルを参照して、送信元のＣＰのドメインが、送信先のメールアドレスについて受信可能なドメインであるかを判定する（ＳＴ２２）。そして、送信元のＣＰのドメインが受信可能なドメインであると判定されると、その旨の制御信号が制御部３２１に送られる。制御部３２１は、送受信部３２２に対してメール転送を指示する。そして、送受信部３２２は、ＣＰからの情報を移動体端末１に転送する。移動体端末１においては、ＣＰからの情報を表示部１３に表示させる。情報を受信した移動体端末１のユーザは、ＣＰに対して応答する（ＳＴ２３）。
【００４５】
このように、本実施の形態に係るドメイン指定受信方法によれば、移動体端末１の画面上に表示されたドメイン指定用電話番号をクリックするだけで、ＣＰのドメインを受信可能に追加設定することができ、ユーザはメールによる会員登録などを簡易に行うことができる。
【００４６】
（実施の形態２）
本実施の形態においては、ユーザが移動体端末からドメイン指定受信用の電話番号に電話をかけることにより、該ドメイン指定受信用の電話番号に対応するＣＰのドメインを自動的に追加すると共に、ＣＰに対してメール送信を行う場合について説明する。
【００４７】
図１０は、本発明の実施の形態１に係るドメイン指定受信システムの概略構成を示す図である。図１０において、図１と同じ部分については図１と同じ符号を付してその詳細な説明は省略する。
【００４８】
図１０に示すシステムは、ユーザ端末である移動体端末１と、この移動体端末１と移動通信網２を介して接続された移動通信網センター３と、移動通信網センター３にインターネット４のようなネットワークを介して接続されたＣＰサーバ５とから主に構成されており、移動通信網センター３は、事前登録したＣＰのドメインを指定するドメイン指定システム３１と、ドメイン指定システムで指定されたドメインを用いてメール受信を行うメール受信システム３２と、移動体端末１から発呼された電話番号に基づいてメール送信依頼を行うメール送信依頼システム３３と、ＣＰサーバ５にメール送信を行うメール送信システム３４とを有する。移動通信網２における交換局には、移動体端末１から発呼された電話番号を識別する番号識別システム２１が配設されている。
【００４９】
このような構成を有するシステムにおいては、ドメイン指定システム３１において、ユーザからの着信により取得したドメイン指定用電話番号に基づいて、予め登録されたドメイン指定用電話番号及びドメインから対応ドメインを読み出し、着信により取得した携帯電話番号に対して受信可能ドメインとして対応ドメインを追加し、携帯電話番号及び対応ドメインをメール受信システム３２に送り、メール受信システム３２において、対応ドメインを携帯電話番号及び携帯電話番号に対応する携帯メールアドレスと関連づけて設定し、プロバイダからの送信先である携帯メールアドレスの対応ドメインが受信可能ドメインであるかどうかを判定する。また、このような構成を有するシステムにおいては、メール送信依頼システム３３において、ユーザからの着信により取得したメール送信用電話番号に基づいて、予め登録されたメール送信用電話番号及びメールアドレスから対応メールアドレスを読み出し、ユーザの携帯電話番号及び対応メールアドレスをメール送信システム３４に送り、メール送信システム３４において、対応メールアドレスを携帯電話番号及び携帯電話番号に対応する携帯メールアドレスと関連づけて設定し、携帯メールアドレスから対応メールアドレスにメール送信を行う。
【００５０】
図１１は、本発明の実施の形態２に係るドメイン指定受信システムにおけるメール送信依頼システムを示す概略ブロック図である。メール送信依頼システム３３は、装置全体を制御する制御部３３１と、メール送信用電話番号、携帯電話番号及びメールアドレスなどの情報の送受信を行う送受信部３３２と、移動体端末１からのメール送信用電話番号を受け付ける番号受付部３３３と、ＣＰによるメールアドレスの登録を行うアドレス登録部３３４と、登録されたメールアドレスを管理するアドレスサーバ３３５と、アドレスサーバ３３５からメールアドレスを読み出すアドレス読出部３３６と、ユーザの携帯電話番号に対応させてＣＰのメールアドレスにメール送信依頼を行うメール送信依頼部３３７とから主に構成されている。
【００５１】
制御部３３１は、ＣＰサーバ５からのメールアドレスの事前登録の指示、メール送信システム３４との間のデータの送受信の指示、アドレス読出部３３６に対してアドレスサーバ３３５からのメールアドレスの読み出しの指示、及びメール送信依頼部３３７に対するメール送信依頼指示などを行う。
【００５２】
番号受付部３３３は、ユーザがかけたメール送信用電話番号及びユーザの携帯電話番号を受け付ける。具体的には、ユーザが移動体端末１からかけたメール送信用電話番号は、番号識別システム２１で本システム用の電話番号であると識別され、送受信部３３２を介して番号受付部３３３に送られ、番号受付部３３３においてこのメール送信用電話番号及びユーザの携帯電話番号が受け付けられる。このメール送信用電話番号及び携帯電話番号は、アドレス読出部３３６に送られる。
【００５３】
アドレス登録部３３４は、ＣＰによるメールアドレスの登録を行う。ＣＰは、予めメール送信用電話番号及びメールアドレスを所定の方法で登録する。アドレス登録部３３４においてメールアドレスが登録されると、ＣＰ名称、メール送信用電話番号及びメールアドレスが関連づけられて管理される。ＣＰ名称、メール送信用電話番号及びメールアドレスは、管理テーブルで管理され、この管理テーブルはアドレスサーバ３３５に格納される。また、アドレス登録部３３４は、新たなＣＰがメールアドレスの登録を行うと、アドレスサーバ３３５の管理テーブルを更新する。
【００５４】
アドレス読出部３３６は、送られたメール送信用電話番号に基づいて管理テーブルを参照して、送られたメール送信用電話番号に対応するメールアドレス（対応メールアドレス）を読み出す。アドレス読出部３３６は、読み出した対応メールアドレスと、ユーザの携帯電話番号とをメール送信依頼部３３７に送る。
【００５５】
メール送信依頼部３３７は、アドレス読出部３３６から送られた対応メールアドレスと携帯電話番号とをメール送信システム３４に送り、メール送信を依頼する。対応メールアドレスと携帯電話番号とは、関連づけられてアドレスサーバ３３５において管理される。
【００５６】
図１２は、本発明の実施の形態２に係るドメイン指定受信システムにおけるメール送信システムを示す概略ブロック図である。メール送信システム３４は、装置全体を制御する制御部３４１と、メールアドレス、携帯電話番号などの情報の送受信を行う送受信部３４２と、携帯電話番号から対応する携帯メールアドレスを読み出すアドレス読出部３４３と、対応メールアドレス（ＣＰのメールアドレス）、携帯電話番号、携帯メールアドレスを管理するアドレスサーバ３４４とから主に構成されている。
【００５７】
制御部３４１は、メール送信依頼システム３３やＣＰサーバ５との間のデータの送受信の指示、及びアドレス読出部３４３に対してメールアドレスの読み出しの指示などを行う。
【００５８】
アドレス読出部３４３は、送受信部３４２を介してメール送信依頼システム３３から取得した対応メールアドレスと携帯電話番号とを、携帯電話番号に対応する携帯メールアドレスと関連づけて管理する。対応メールアドレス、携帯電話番号及び携帯メールアドレスは、例えば図１３に示すような管理テーブルで管理され、この管理テーブルはアドレスサーバ３４４に格納される。アドレス読出部３４３は、新たに対応メールアドレスが送られると、アドレスサーバ３５４の管理テーブルを更新する。なお、携帯電話番号に対応する携帯メールアドレスは、移動通信網センター３において管理されているので、容易に取得することができる。
【００５９】
上記構成を有するドメイン指定受信システムにおいては、移動体端末１の画面上に表示されたドメイン指定用電話番号をクリックするだけで、ＣＰのドメインを受信可能に追加設定することができると共に、ＣＰにメール送信を行うことができる。ドメイン指定用電話番号は、移動体端末１の画面上に自動的に表示されるものであり、電話番号部分をアクティブにしてクリックするだけで、発呼することができる。この作業は、アルファベットや数字の組み合わせである複数のキャラクタで構成されるドメイン名を手入力したり、メールアドレスを手入力する方法に比べて、非常に簡単である。このため、ユーザはメールによる会員登録などを簡易に行うことが可能となり、ＣＰの会員獲得機会も増加する。
【００６０】
次に、上記構成を有するドメイン指定受信方法について図１４を用いて説明する。図１４は、本発明の実施の形態２に係るドメイン指定受信方法の一例を示すシーケンス図である。本実施の形態においては、ドメイン指定及びメール送信を１回の発呼により行うため、ドメイン指定用電話番号とメール送信用電話番号とが同じ電話番号として登録される。
【００６１】
まず、予めＣＰはメール送信用電話番号とその電話番号に対応するメールアドレス（ユーザが空メールを送信するメールアドレス）をメール送信依頼システム３３に登録（事前登録）する（ＳＴ３１）。登録されたメール送信用電話番号とメールアドレスは、アドレスサーバ３３５の管理テーブルで管理される。
【００６２】
ドメイン指定受信サービスを受けているユーザは、図１５に示すような、上記ＣＰの情報を表示した画面において、メール送信用電話番号をアクティブにし、クリックして発呼する（ＳＴ３２）。このように、本ドメイン指定受信方法においては、移動体端末１の画面上においてワンクリックでメール送信用電話番号（すなわちドメイン指定用電話番号）にかけることができるので、メールアドレスを入力して設定する操作に比べて、ユーザ操作が非常に簡単である。
【００６３】
移動体端末１から発呼されたドメイン指定及びメール送信用電話番号は、番号識別システム２１において識別される。そして、番号識別システム２１において、ドメイン指定及びメール送信用電話番号であると識別されると、回線がドメイン指定システム３１及びメール送信依頼システム３３に接続される。そして、ドメイン指定及びメール送信用電話番号がドメイン指定システム３１に送られると共に、メール送信依頼システム３３に送られる。このとき、発呼した移動体端末１の携帯電話番号もドメイン指定システム３１及びメール送信依頼システム３３に送られることになる。なお、ＣＰドメインの追加設定の操作（ＣＰドメインの事前登録（ＳＴ１１）から音声案内（ＳＴ１９））については実施の形態１と同じであるので、説明を省略する。
【００６４】
移動体端末１から発呼されたメール送信用電話番号は、番号識別システム２１において識別される（ＳＴ３３）。番号識別システム２１において、メール送信用電話番号であると識別されると、回線がメール送信依頼システム３３に接続される。そして、メール送信用電話番号がメール送信依頼システム３３に送られる。このとき、発呼した移動体端末１の携帯電話番号もメール送信依頼システム３３に送られることになる。
【００６５】
メール送信依頼システム３３においては、送受信部３３２がメール送信用電話番号を受け取ると、その旨の制御信号が制御部３３１に送られる。制御部３３１は、アドレス読出部３３６に対してメールアドレスの読み出しを指示する。アドレス読出部３３６は、アドレスサーバ３３５の管理テーブルを参照して、送られてきたメール送信用電話番号に対応するメールアドレスを読み出す（ＳＴ３４）。次いで、アドレス読出部３３６がメールアドレスの読み出すと、その旨の制御信号が制御部３３１に送られる。制御部３３１は、その制御信号を受けると、メール送信依頼部３３７にメール送信を依頼する指示を行う。メール送信依頼部３３７は、制御部３３１からの制御信号を受けると、送られてきた携帯電話番号と、読み出されたメールアドレスとを送受信部３３２を介してメール送信システム３４に送信する（ＳＴ３５）。
【００６６】
メール送信システム３４においては、送受信部３４２を介して取得した携帯電話番号及び対応メールアドレスが、携帯電話番号に対応する携帯メールアドレスと関連づけられてアドレスサーバ３４４で管理される（ＳＴ３６）。また、送受信部３４２が携帯電話番号及び対応メールアドレスを受け取ると、その旨の制御信号が制御部３４１に送られる。制御部３４１は、アドレス読出部３４３に対して携帯メールアドレスの読み出しを指示する。アドレス読出部３４３は、アドレスサーバ３４４の管理テーブルを参照して携帯電話番号に対応する携帯メールアドレスを読み出す。また、アドレス読出部３４３には、メール送信依頼システム３３から送られた対応メールアドレスが送られているので、この対応メールアドレスも読み出す。アドレス読出部３４３が携帯メールアドレス及び対応メールアドレスを読み出すと、その旨の制御信号が制御部３４１に送られる。制御部３４１は、送受信部３４２に対して携帯メールアドレスを送信元にして対応メールアドレスにメールを送信する指示を行う。送受信部３４２は、携帯メールアドレスを送信元にして対応メールアドレスに空メールを送信する（ＳＴ３７）。
【００６７】
次いで、空メールを受信したＣＰは、送信元のメールアドレス（携帯メールアドレス）に情報（例えば、入会用ＵＲＬを含むメール）を送信する（ＳＴ３８）。このＣＰからの情報は、移動体端末１において表示部１３に表示される。情報を受信した移動体端末１のユーザは、ＣＰに対して応答する（ＳＴ３９）。
【００６８】
このように、本実施の形態に係るドメイン指定受信方法によれば、移動体端末１の画面上に表示されたドメイン指定用電話番号をクリックするだけで、ＣＰのドメインを受信可能に追加設定することができると共に、ＣＰに空メールを送信することができ、ユーザはメールによる会員登録などを簡易に行うことができる。
【００６９】
上記実施の形態１，２においては、送信元がドメインである場合について説明しているが、本発明はこれに限定されず、送信元が他の識別情報の場合にも適用することが可能である。
【００７０】
また、上記実施の形態１，２においては、ＣＰのドメインやメールアドレスの管理に携帯電話の電話番号をキーとしている場合について説明しているが、本発明においては、ＣＰのドメインやメールアドレスの管理に他の識別情報、例えば、移動機番号、ユーザ識別情報、回線契約番号などを用いても良い。この場合においては、メール受信システム及び／又はメール送信システムにおいて携帯電話番号を前記他の識別情報に変換する工程を設ける必要がある。
【００７１】
本発明は上記実施の形態に限定されず、種々変更して実施することが可能である。例えば、上記実施の形態における手順やブロック構成については、これに限定されず、本発明の範囲を逸脱しない限りにおいて適宜変更して実施することが可能である。
【図面の簡単な説明】
【００７２】
【図１】本発明の実施の形態１係るドメイン指定受信システムの概略構成を示す図である。
【図２】本発明の実施の形態に係るドメイン指定受信システムに使用する移動体端末を示す概略ブロック図である。
【図３】本発明の実施の形態１に係るドメイン指定受信システムにおけるドメイン指定システムを示す概略ブロック図である。
【図４】本発明の実施の形態１に係るドメイン指定受信システムにおけるメール受信システムを示す概略ブロック図である。
【図５】本発明の実施の形態１に係るドメイン指定受信システムにおけるドメイン指定システム内の管理テーブルを示す図である。
【図６】本発明の実施の形態１に係るドメイン指定受信システムにおけるメール受信システム内の管理テーブルを示す図である。
【図７】本発明の実施の形態１に係るドメイン指定受信方法の一例を示すシーケンス図である。
【図８】（ａ）〜（ｃ）は、本発明の実施の形態１に係るドメイン指定受信システムにおけるドメイン登録用の画面表示を示す図である。
【図９】本発明の実施の形態１に係るドメイン指定受信方法における移動体端末の画面表示を示す図である。
【図１０】本発明の実施の形態２係るドメイン指定受信システムの概略構成を示す図である。
【図１１】本発明の実施の形態２に係るドメイン指定受信システムにおけるメール送信依頼システムを示す概略ブロック図である。
【図１２】本発明の実施の形態２に係るドメイン指定受信システムにおけるメール送信システムを示す概略ブロック図である。
【図１３】本発明の実施の形態２に係るドメイン指定受信システムにおけるメール送信システム内の管理テーブルを示す図である。
【図１４】本発明の実施の形態２に係るドメイン指定受信方法の一例を示すシーケンス図である。
【図１５】本発明の実施の形態２に係るドメイン指定受信方法における移動体端末の画面表示を示す図である。
【符号の説明】
【００７３】
１  移動体端末
２  移動通信網
３  移動通信網センター
４  インターネット
５  ＣＰサーバ
１１，３１１，３２１，３３１，３４１  制御部
１２，３１２，３２２，３３２，３４２  送受信部
１３  表示部
１４  入力部
１５  マイク
１６  スピーカ
２１  番号識別システム
３１  ドメイン指定システム
３２  メール受信システム
３３  メール送信依頼システム
３４  メール送信システム
３１３，３３３  番号受付部
３１４  ドメイン登録部
３１５，３２５  ドメインサーバ
３１６  ドメイン読出部
３１７  ドメイン追加部
３１８  音声案内部
３２３  ドメイン設定部
３２４  ドメイン判定部
３３４  アドレス登録部
３３５，３４４  アドレスサーバ
３３６，３４３  アドレス読出部
３３７  メール送信依頼部
【図１】
2007134776.tif 000003
【図２】
2007134776.tif 000004
【図３】
2007134776.tif 000005
【図４】
2007134776.tif 000006
【図５】
2007134776.tif 000007
【図６】
2007134776.tif 000008
【図７】
2007134776.tif 000009
【図８】
2007134776.tif 000010
【図９】
2007134776.tif 000011
【図１０】
2007134776.tif 000012
【図１１】
2007134776.tif 000013
【図１２】
2007134776.tif 000014
【図１３】
2007134776.tif 000015
【図１４】
2007134776.tif 000016
【図１５】
2007134776.tif 000017